(57)【要約】【課題】出射面の輝度ムラを抑えるとともに、その出射面の輝度分布の美観を向上させる。【解決手段】光源１０と、光源１０によって発せられた光を前方に向かう光として取り込む取込部３０と、取込部３０の前から側方へ延びたミドル導光部４０と、取込部３０の前に配置されたアッパー導光部５０と、上から見てミドル導光部４０の前に配置されたロア導光部６０と、を備え、アッパー導光部５０が、取込部３０の上部からミドル導光部の後面のうち光軸Ａｘ寄りの部位まで続いて設けられ、取込部３０によって取り込まれた光の一部を出射面４６の第二領域４６ｂまでガイドし、ロア導光部６０が、取込部３０の下部の前から側方に延びて、ミドル導光部４０の側部の下に回り込んで、ミドル導光部４０の側部の後面まで続いて設けられ、取込部３０によって取り込まれた光の一部を出射面４６の第三領域４６ｃまでガイドする。【選択図】図１
2016054080.tif 000002
【特許請求の範囲】
【請求項１】
前方に向けて光を発する光源と、
前記光源の前に配置され、前記光源によって発せられた光を前方に向かう光として取り込む取込部と、
前記取込部の上下方向中央部の前方から側方へ延びたミドル導光部と、
前記取込部の上部の前に配置され、上から見て前記ミドル導光部と前記取込部との間に配置されたアッパー導光部と、
上から見て前記ミドル導光部の前に配置されたロア導光部と、を備え、
前記ミドル導光部が、
前記ミドル導光部の前面に形成され、前記取込部の上下方向中央部の前方に配置され、前記取込部によって取り込まれた光の一部を側方へ反射する第一反射面と、
前記ミドル導光部の前面に形成され、前記第一反射面から側方へ帯状に延びた出射面と、
前記ミドル導光部の後面に形成され、前記出射面の左右方向中央部の後方において左右に間隔を置いて階段状に配列され、前記第一反射面によって反射された光を前記出射面のうち左右方向中央の第一領域に向けて反射する複数の第二反射面と、を有し、
前記アッパー導光部が、前記取込部の上部から前記ミドル導光部の後面のうち前記複数の第二反射面の配列よりも前記第一反射面側の部位まで続いて設けられ、前記取込部によって取り込まれた光の一部を前記出射面のうち前記第一領域よりも前記第一反射面側の第二領域までガイドし、
前記ロア導光部が、前記取込部の下部の前から側方に延びて、前記第一領域よりも側方において前記ミドル導光部の側部の下に回り込んで、前記ミドル導光部の後面のうち前記複数の反射面の配列の側方の部位まで続いて設けられ、前記取込部によって取り込まれた光の一部を前記出射面のうち前記第一領域よりも側方の第三領域までガイドする
ことを特徴とする灯具。
【請求項２】
前記アッパー導光部が、
前記アッパー導光部の前面に形成され、前記取込部の上部の前方に配置され、前記取込部によって取り込まれた光の一部を側方へ反射する第三反射面と、
前記アッパー導光部の後面に形成され、前記第二領域の後方の上において左右に間隔を置いて階段状に配列され、前記第三反射面によって反射された光を前方へ反射する複数の第四反射面と、
前記アッパー導光部の上面に形成され、前下りに傾斜して、前記複数の第四反射面の配列の前方に配置され、前記複数の第四反射面によって反射された光を下方へ反射する第五反射面と、
前記アッパー導光部の下面に形成され、前下りに傾斜して、前記複数の第四反射面の配列の下方及び前記第二領域の後方に配置され、前記第五反射面によって反射された光を前記第二領域に向けて反射する第六反射面と、を有する
ことを特徴とする請求項１に記載の灯具。
【請求項３】
前記ロア導光部が、
前記ロア導光部の前面に形成され、前記取込部の下部の前方に配置され、前記取込部によって取り込まれた光の一部を側方へ反射する第七反射面と、
前記ロア導光部の前面に形成され、前記第三領域の前方の下において左右に間隔を置いて階段状に配列され、前記第七反射面によって反射された光を後方へ反射する複数の第八反射面と、
前記第三領域よりも後側において前記ロア導光部の下面に形成され、後ろ上りに傾斜し、前記複数の第八反射面の配列の後方に配置され、前記複数の第八反射面によって反射された光を上方へ反射する第九反射面と、
前記第三領域よりも後側において前記ロア導光部の上面に形成され、後ろ下りに傾斜し、前記第九反射面の上方及び前記第三領域の後方に配置され、前記第九反射面によって反射された光を前記第三領域に向けて反射する第十反射面と、
を有する
ことを特徴とする請求項１又は２に記載の灯具。
【発明の詳細な説明】
【技術分野】
【０００１】
本発明は、灯具に関する。
【背景技術】
【０００２】
特許文献１には、光源及び導光体を用いた灯具が開示されている。この導光体の後面には入射部が形成され、導光体の前面には四角錐型凹部が形成され、その四角錐型凹部が入射部の前に配置されている。この導光体の上面及び下面には、正面から見て直角三角形型ノッチがそれぞれ形成され、それら直角三角形型ノッチが四角錐型凹部の上下に配置されている。導光体の後面であって入射部の左右両側には、左右方向に沿って階段状に配列された複数の反射面が形成されている。光源の光が入射部によって平行光として導光体に取り込まれ、その光が四角錐型凹部の錐面によって上下左右に反射される。四角錐型凹部の錐面によって左右に反射された光は複数の反射面によって前方に反射される。四角錐型凹部の錐面によって上下に反射された光は直角三角形型ノッチの側面によって左右に反射され、その光が更に複数の反射面によって前方へ反射される。従って、導光体の前面が出射面であり、複数の反射面によって反射された光が導光体の出射面から前方へ出射する。
【先行技術文献】
【特許文献】
【０００３】
【特許文献１】特許第５５０６６１０号公報
【発明の概要】
【発明が解決しようとする課題】
【０００４】
特許文献１に記載の技術では、１つの光源によって光る導光体の出射面の左右幅が狭い。また、導光体の左右幅を広げて、１つの光源によって光る導光体の出射面の左右幅を広くしたものとしても、その出射面の輝度ムラが生じるとともに、その出射面の輝度分布が美観を損ねるものとなる。
そこで、本発明が解決しようとする課題は、出射面の輝度ムラを抑えることと、その出射面の輝度分布の美観を向上させることである。
【課題を解決するための手段】
【０００５】
以上の課題を解決するために、請求項１に係る発明は、前方に向けて光を発する光源と、前記光源の前に配置され、前記光源によって発せられた光を前方に向かう光として取り込む取込部と、前記取込部の上下方向中央部の前方から側方へ延びたミドル導光部と、前記取込部の上部の前に配置され、上から見て前記ミドル導光部と前記取込部との間に配置されたアッパー導光部と、上から見て前記ミドル導光部の前に配置されたロア導光部と、を備え、前記ミドル導光部が、前記ミドル導光部の前面に形成され、前記取込部の上下方向中央部の前方に配置され、前記取込部によって取り込まれた光の一部を側方へ反射する第一反射面と、前記ミドル導光部の前面に形成され、前記第一反射面から側方へ帯状に延びた出射面と、前記ミドル導光部の後面に形成され、前記出射面の左右方向中央部の後方において左右に間隔を置いて階段状に配列され、前記第一反射面によって反射された光を前記出射面のうち左右方向中央の第一領域に向けて反射する複数の第二反射面と、を有し、前記アッパー導光部が、前記取込部の上部から前記ミドル導光部の後面のうち前記複数の第二反射面の配列よりも前記第一反射面側の部位まで続いて設けられ、前記取込部によって取り込まれた光の一部を前記出射面のうち前記第一領域よりも前記第一反射面側の第二領域までガイドし、前記ロア導光部が、前記取込部の下部の前から側方に延びて、前記第一領域よりも側方において前記ミドル導光部の側部の下に回り込んで、前記ミドル導光部の後面のうち前記複数の反射面の配列の側方の部位まで続いて設けられ、前記取込部によって取り込まれた光の一部を前記出射面のうち前記第一領域よりも側方の第三領域までガイドすることを特徴とする灯具である。
【０００６】
請求項２に係る発明は、前記アッパー導光部が、前記アッパー導光部の前面に形成され、前記取込部の上部の前方に配置され、前記取込部によって取り込まれた光の一部を側方へ反射する第三反射面と、前記アッパー導光部の後面に形成され、前記第二領域の後方の上において左右に間隔を置いて階段状に配列され、前記第三反射面によって反射された光を前方へ反射する複数の第四反射面と、前記アッパー導光部の上面に形成され、前下りに傾斜して、前記複数の第四反射面の配列の前方に配置され、前記複数の第四反射面によって反射された光を下方へ反射する第五反射面と、前記アッパー導光部の下面に形成され、前下りに傾斜して、前記複数の第四反射面の配列の下方及び前記第二領域の後方に配置され、前記第五反射面によって反射された光を前記第二領域に向けて反射する第六反射面と、を有することを特徴とする請求項１に記載の灯具である。
【０００７】
請求項３に係る発明は、前記ロア導光部が、前記ロア導光部の前面に形成され、前記取込部の下部の前方に配置され、前記取込部によって取り込まれた光の一部を側方へ反射する第七反射面と、前記ロア導光部の前面に形成され、前記第三領域の前方の下において左右に間隔を置いて階段状に配列され、前記第七反射面によって反射された光を後方へ反射する複数の第八反射面と、前記第三領域よりも後側において前記ロア導光部の下面に形成され、後ろ上りに傾斜し、前記複数の第八反射面の配列の後方に配置され、前記複数の第八反射面によって反射された光を上方へ反射する第九反射面と、前記第三領域よりも後側において前記ロア導光部の上面に形成され、後ろ下りに傾斜し、前記第九反射面の上方及び前記第三領域の後方に配置され、前記第九反射面によって反射された光を前記第三領域に向けて反射する第十反射面と、を有することを特徴とする請求項１又は２に記載の灯具である。
【発明の効果】
【０００８】
本発明によれば、取込部によって取り込まれた光のうち取込部の上下方向中央部を前方へ進行する光はミドル導光部によって出射面の第一領域にガイドされ、取込部の上部を前方へ進行する光はアッパー導光部によって出射面の第二領域にガイドされ、取込部の下部を前方へ進行する光はロア導光部によって出射面の第三領域にガイドされる。出射面の第一領域、第二領域及び第三領域が左右方向に配列されているので、出射面の左右幅を広げることができる。また、取込部の中央部の光、上部の光及び下部の光がそれぞれミドル導光部、アッパー導光部及びロア導光部によって第一領域、第二領域及び第三領域へ個別にガイドされるため、出射面の輝度ムラを抑えることができるとともに、その出射面の輝度分布の美観が向上する。また、出射面の上下長を取込部の上下長よりも短くして、出射面の左右幅を広げても、取込部によって取り込まれた光を有効利用することができる。
【図面の簡単な説明】
【０００９】
【図１】灯具の導光体の正面側の斜視図である。
【図２】導光体の背面側の斜視図である。
【図３】導光体の正面図である。
【図４】導光体の背面図である。
【図５】灯具の上面図である。
【図６】図５のVI−VI線に沿った面の断面図である。
【図７】図５のVII−VII線に沿った面の断面図である。
【図８】図５のVIII−VIII線に沿った面の断面図である。
【発明を実施するための形態】
【００１０】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１１】
図１〜図１０を参照して、灯具１について説明する。以下の説明において、灯具１によって照明する向きを「前」とし、「左」と「右」は灯具１の後ろから前に向かって見た場合の左と右のことをいう。また、「上下方向」は必ずしも鉛直方向をいうのではなく、「下向き」は必ずしも重力の働く向きをいうものではない。
【００１２】
図１は灯具１の光学素子２０をその斜め前から見て示した斜視図である。図２は光学素子２０をその斜め後ろから見て示した斜視図である。図３は光学素子２０の正面図である。図４は光学素子２０の背面図である。図５は灯具１の上面図である。図６は図５のVI−VI線に沿った面を矢印方向に向かって見て示した断面図である。図７は図５のVII−VII線に沿った面を矢印方向に向かって見て示した断面図である。図８は図５のVIII−VIII線に沿った面を矢印方向に向かって見て示した断面図である。
【００１３】
この灯具１は車両用の灯具として利用される。具体的には、この灯具１は車両用信号灯（例えば尾灯、制動灯、方向指示灯及び後退灯）である。この灯具１は光源１０及び光学素子２０等を備える。
【００１４】
光源１０は半導体発光素子（例えば、発光ダイオード（ＬＥＤ）、有機発光ダイオード（ＯＬＥＤ））である。この光源１０が基板１１に表面実装されている。そして、光源１０が前向きに設けられ、光源１０が前方に向けて光を発し、光源１０の光軸Ａｘが光源１０から前方へ延びる。光源１０の光軸Ａｘとは、光源１０によって発せられた光の空間的光度分布（配光）のうち最大光度の向きに光源１０から延びる仮想的な線をいう。
なお、半導体発光素子の代わりに電球又は放電灯を光源１０に用いてもよい。
【００１５】
光学素子２０は光源１０の前に配置されている。光学素子２０は光源１０によって発せられた光をガイドして、その光を前方へ照射するものである。この光学素子２０の出射面（発光領域）４６，４６が前方に向いており、光学素子２０をその前から見ると（図３参照）、出射面４６，４６がこれらの間に間隔をおいて左右に並列する。そして、これら出射面４６，４６が帯状に形成され、出射面４６，４６の左右長が出射面４６，４６の上下長よりも長い。
【００１６】
出射面４６は、出射面４６の左右方向中央の第一領域４６ａと、第一領域４６ａよりも中心側（光軸Ａｘ側）の第二領域４６ｂと、第一領域４６ａよりも側方の第三領域４６ｃとからなる。第一領域４６ａの左右幅は第二領域４６ｂの左右幅よりも広く、第一領域４６ａの左右幅は第三領域４６ｃの左右幅よりも僅かに広い。正面から見て出射面４６が長方形状であるので、これら領域４６ａ，４６ｂ，４６ｃの上下長が互いに等しい。そして、光学素子２０に取り込まれてから出射面４６に至るまでの光の経路はこれら領域４６ａ，４６ｂ，４６ｃごとに異なる。なお、領域４６ａ，４６ｂ，４６ｃを識別しやすいように、図３では領域４６ａ，４６ｂ，４６ｃに模様を付す。
【００１７】
光学素子２０は取込部３０、ミドル導光部４０、アッパー導光部５０及びロア導光部６０を備える。取込部３０、ミドル導光部４０、アッパー導光部５０及びロア導光部６０は空気の屈折率よりも高い屈折率の透明材料からなる。そして、取込部３０、ミドル導光部４０、アッパー導光部５０及びロア導光部６０が一体に成形されており、取込部３０、ミドル導光部４０、アッパー導光部５０及びロア導光部６０の屈折率が互いに等しい。
【００１８】
取込部３０は、光学素子２０の後部に設けられている。取込部３０は、光源１０によって発せられた光を取り込むとともにその光を平行ビームにする。図６に示すように、取込部３０は第一入射面３１、第二入射面３２及び反射面３３を有する。
【００１９】
第一入射面３１が取込部３０の後面に形成されている。具体的には、取込部３０の後面の中央部が凹んでおり、第一入射面３１がその凹んだ部分の突き当たりに形成され、この第一入射面３１が光源１０に対向する。第一入射面３１は、光源１０に向けて膨出する凸面状に形成されている。第一入射面３１は光源１０の光軸Ａｘ回りに回転対称な面である。光源１０によって発せられた光が第一入射面３１によって取込部３０の内部に取り込まれる。その光が第一入射面３１を通過する際に第一入射面３１によって屈折されて前向きの平行ビームになる。
【００２０】
第二入射面３２は、取込部３０の内周面（取込部３０の後面の凹んだ部分を囲う面）に形成されている。第二入射面３２は、第一入射面３１の外周縁から光源１０側へ立ち上がった面である。第二入射面３２は、光源１０の光軸Ａｘ回りに回転対称な面であり、より具体的には円柱面又は円錐面に形作られている。又は、第二入射面３２は、その円柱面又は円錐面を基調とした自由曲面である。
【００２１】
反射面３３は、取込部３０の外周面に形成されていて、第二入射面３２の外側（光源１０の光軸Ａｘから離れる方）を囲うように設けられている。反射面３３は、光源１０の光軸Ａｘ回りに回転対称な面である。反射面３３は、第二入射面３２の後縁から前へ向かって外側に広がった錐面状に形成されている。光源１０によって発せられた光が第二入射面３２によって取込部３０の内部に取り込まれ、その取り込まれた光が反射面３３によって前方へ反射される。第二入射面３２に取り込まれる光は、第二入射面３２による屈折と反射面３３による反射とによって、前向きの平行ビームになる。
【００２２】
取込部３０の前面の上下方向中央部及び下部には、平面状の出射面３４が形成されている。この出射面３４は光源１０の光軸Ａｘに対して直交する。取込部３０のうち出射面３４よりも上側の部位がアッパー導光部５０に続いて、取込部３０とアッパー導光部５０が一体成形されている。そのため、取込部３０によって取り込まれた平行ビームの一部が出射面３４を通過して前方に出射し、他の一部が出射せずに取込部３０からアッパー導光部５０に進行する。
取込部３０の上下長（つまり、取込部３０の最大直径）は出射面４６の上下長よりも長い。
【００２３】
上から見て（図５参照）、取込部３０から前方に離れた位置には、ミドル導光部４０が配置されている。前から見て（図３参照）、ミドル導光部４０は、取込部３０の前面の上下方向中央部（つまり、出射面３４のうち上の部位）の前方の位置から左右両側へ延びている。そして、ミドル導光部４０は、取込部３０の出射面３４から出射した平行ビームの一部を取り込んで、その取り込んだ平行ビームを出射面４６の中央の第一領域４６ａ，４６ａまでガイドして、第一領域４６ａ，４６ａから前方に出射させる。以下、ミドル導光部４０について詳細に説明する。
【００２４】
ミドル導光部４０の上面４１及びその下面４２が光源１０の光軸Ａｘに対して平行である。ミドル導光部４０の後面の左右方向中央部に入射面４３が形成されている。その入射面４３は、取込部３０の前面の上下方向中央部（つまり、出射面３４のうち上の部位）に対向する。この入射面４３は、光源１０の光軸Ａｘに対して直交するとともに、取込部３０の出射面３４に対して平行である。取込部３０の出射面３４から前方に出射した平行ビームがミドル導光部４０の入射面４３に入射して、ミドル導光部４０に取り込まれる。
【００２５】
ミドル導光部４０の前面の左右方向中央部に第一反射面４４，４４が形成されている。具体的には、ミドル導光部４０の前面の左右方向中央部にノッチが形成され、そのノッチが上から見て三角形型に形成され、そのノッチの底を挟む反射面４４，４４がそのノッチの左右にそれぞれ形成されている。
【００２６】
左の反射面４４は前左に傾斜し、光軸Ａｘを通るとともに上下前後に沿った基準面（以下、第一基準面という。）と左の反射面４４の成す角は例えば４５°である。右の反射面４４は前右に傾斜し、第一基準面と右の反射面４４の成す角は例えば４５°である。反射面４４，４４が光源１０の光軸Ａｘの左右両側にそれぞれ配置され、上から見て反射面４４，４４が例えば９０°で交差し、反射面４４，４４の交線が光源１０の光軸Ａｘに対して直交する。
【００２７】
反射面４４，４４は、入射面４３に対して例えば４５°に傾斜した状態で入射面４３の前に配置されている。入射面４３によって取り込まれた平行ビームは反射面４４，４４によって左右に分割され、その平行ビームの一部が左の反射面４４によって左へ反射され、その平行ビームの他の一部が右の反射面４４によって右へ反射される。なお、ミドル導光部４０の反射面４４，４４の後側の部位が後方へ延出して、その延出した部位が取込部３０の前面の上下方向中央部に繋がって一体になることによって、ミドル導光部４０の入射面４３と取込部３０の出射面３４の上下方向中央部が消失してもよい。
【００２８】
ミドル導光部４０の後面のうち入射面４３から左に離れた部位には、複数の第二反射面４５，…が形成され、入射面４３から右に離れた部位にも、複数の第二反射面４５，…が形成されている。左の反射面４５，…及び右の反射面４５，…は階段状に配列されている。つまり、左の反射面４５，…は、左右に間隔を置いて左右方向に配列されているとともに、左のものほど前にずれて配置されている。右の反射面４５，…は、左右に間隔をおいて左右方向に配列されているとともに、右のものほど前にずれて配置されている。
【００２９】
左の反射面４５，…は左の反射面４４の左方に配置され、左の反射面４５，…と左の反射面４４が互いに平行である。右の反射面４５，…は右の反射面４４の右方に配置され、右の反射面４５，…と右の反射面４４が互いに平行である。左の反射面４４によって反射された光が左の反射面４５，…によって前方に反射されるが、これら反射面４５，…が階段状に配列されているため、反射面４５，…によって反射された平行ビームの左右幅が広くなる。右の反射面４４によって反射された平行ビームが右の反射面４５，…によって前方に反射され、その反射された平行ビームの左右幅が広くなる。
【００３０】
ミドル導光部４０の前面のうち反射面４４，４４の左右両側には、出射面４６，４６が形成されている。左の出射面４６が左の反射面４４の左縁から左方へ帯状に延びた平面であり、右の出射面４６が右の反射面４４の右縁から右方へ帯状に延びた平面である。出射面４６，４６は入射面４３に対して平行に設けられている。
【００３１】
ここで、左の出射面４６のうち中央の第一領域４６ａが左の反射面４５，…の配列の前に配置され、右の出射面４６のうち中央の第一領域４６ａが右の反射面４５，…の配列の前に配置されている。従って、左の反射面４５，…によって反射された平行ビームが左の出射面４６の前方へ出射し、右の反射面４５，…によって反射された平行ビームが右の出射面４６の前方へ出射するが、主に出射面４６，４６のうち第一領域４６ａ，４６ａが光って見える。
【００３２】
上から見て（図５参照）、アッパー導光部５０が取込部３０とミドル導光部４０の間に配置されている。このアッパー導光部５０は取込部３０の前面（特に、出射面３４よりも上の部分）からミドル導光部４０の後面（特に、出射面４６の第二領域４６ｂ，４６ｂの裏側の部分）まで続いている。アッパー導光部５０は、取込部３０によって取り込まれた平行ビームの一部を出射面４６の第二領域４６ｂ，４６ｂまでガイドして、第二領域４６ｂ，４６ｂから前方に出射させる。以下、アッパー導光部５０について詳細に説明する。
【００３３】
アッパー導光部５０の上面の後部領域５１と下面の後部領域５２が互いに平行に設けられている。アッパー導光部５０の下面の後部領域５２を前方に延長させた延長面は、ミドル導光部４０の上面４１と同一平面となる。
【００３４】
アッパー導光部５０の前面の左右方向中央部には、第三反射面５４，５４が形成されている。具体的には、取込部３０の前面の左右方向中央部にノッチが形成され、そのノッチが上から見て左右対称な五角形型（正方形又は長方形の２つの角を切り落とした五角形型）に形成され、そのノッチの底を挟む反射面５４，５４がそのノッチの左右にそれぞれ形成されている。
【００３５】
左の反射面５４は前左に傾斜し、左の反射面５４と第一基準面の成す角は例えば４５°である。右の反射面５４は前右に傾斜し、右の反射面５４と第一基準面の成す角は例えば４５°である。
【００３６】
反射面５４，５４が光源１０の光軸Ａｘの左右両側にそれぞれ配置され、上から見て反射面５４，５４が例えば９０°で交差し、反射面５４，５４の交線が光源１０の光軸Ａｘに対して垂直である。前から見て（図３参照）、反射面５４，５４の下縁はミドル導光部４０の反射面４４，４４の上縁に重なっている。
【００３７】
反射面５４，５４は取込部３０（特に、出射面３４よりも上の部分）の前に配置されている。そのため、取込部３０によって取り込まれた平行ビームの一部が反射面５４，５４によって左右に分割され、その平行ビームの一部が左の反射面５４によって左へ反射され、その平行ビームの他の一部が右の反射面５４によって右へ反射される。
【００３８】
アッパー導光部５０の後面のうち取込部３０の左右両側には、複数の第四反射面５５，…が形成されている。左の反射面５５，…及び右の反射面５５，…は階段状に配列されている。つまり、左の反射面５５，…は、左右方向に間隔をおいて左右に配列されているとともに、左のものほど前にずれて配置されている。右の反射面５５，…は、左右方向に間隔をおいて左右に配列されているとともに、右のものほど前にずれて配置されている。
【００３９】
上から見て（図５参照）、左の反射面５５，…の配列はミドル導光部４０の左の反射面４５，…の配列よりも光軸Ａｘ側（右側）に配置され、右の反射面５５，…の配列はミドル導光部４０の右の反射面４５，…の配列よりも光軸Ａｘ側（左側）に配置されている。左の反射面５５，…は左の反射面５４の左方に配置され、左の反射面５５，…と左の反射面５４が互いに平行である。右の反射面５５，…は右の反射面５４の右方に配置され、右の反射面５５，…と右の反射面５４が互いに平行である。左の反射面５４によって反射された光が左の反射面５５，…によって前方に反射され、その反射された平行ビームの左右幅が広くなる。右の反射面５４によって反射された平行ビームが右の反射面５５，…によって前方に反射され、その平行ビームの左右幅が広くなる。
【００４０】
アッパー導光部５０の上面の前部領域には、第五反射面５６，５６が形成されている。反射面５６，５６はアッパー導光部５０の上面の後部領域５１の前縁からミドル導光部４０の上面４１の後縁にかけて前下りに傾斜する。光軸Ａｘを通るとともに前後左右に沿った基準面（以下、第二基準面という。第二基準面と第一基準面は光軸Ａｘにおいて直交する。）と反射面５６，５６の成す角は例えば４５°である。左の反射面５６は左の反射面５５，…の配列の前に配置され、右の反射面５６は右の反射面５５，…の配列の前に配置されている。左の反射面５５，…によって反射された平行ビームは左の反射面５６によって下方へ反射され、右の反射面５５，…によって反射された平行ビームは右の反射面５６によって下方へ反射される。
【００４１】
アッパー導光部５０の下面の前部領域には、第六反射面５７，５７が形成されている。反射面５７，５７はアッパー導光部５０の下面の後部領域５２の前縁からミドル導光部４０の下面４２の後縁にかけて前下りに傾斜する。反射面５７，５７は反射面５６，５６に対して平行である。反射面５７，５７は反射面５６，５６の下方に配置されている。左の反射面５６によって反射された平行ビームは左の反射面５７によって前方へ反射され、右の反射面５６によって反射された平行ビームは右の反射面５７によって前方へ反射される。
【００４２】
左の反射面５７の前には、ミドル導光部４０の左の出射面４６のうち第二領域４６ｂが配置され、右の反射面５７の前には、右の出射面４６のうち第二領域４６ｂが配置されている。従って、左の反射面５７によって反射された平行ビームは左の出射面４６の前方へ出射し、右の反射面５７によって反射された平行ビームが右の出射面４６の前方へ出射し、主に出射面４６，４６のうち第二領域４６ｂ，４６ｂが光って見える。
【００４３】
なお、アッパー導光部５０の後面の左右方向中央部が取込部３０の前面から切り離され、取込部３０の出射面３４が取込部３０の前面全体に形成され、アッパー導光部５０の後面の左右方向中央部（入射面）が取込部３０の前面の上部に対向していてもよい。
【００４４】
取込部３０から前方に離れた位置には、ロア導光部６０が配置されている。上から見て（図５参照）、ロア導光部６０がミドル導光部４０の前に配置されている。前から見て（図３参照）、ロア導光部６０がミドル導光部４０の下に配置されている。また、前から見て（図３参照）、ロア導光部６０は、取込部３０の前面の下部（つまり、出射面３４のうち下の部位）の前方の位置から左右両側へ延びている。そして、ロア導光部６０の左右両側の部位が、ミドル導光部４０の下を後ろに回り込んで、ミドル導光部４０の左右両側の部位の後面に続いている（図８参照）。このロア導光部６０は、取込部３０の出射面３４から出射した平行ビームの一部を取り込んで、その取り込んだ平行ビームを出射面４６，４６の第三領域４６ｃ，４６ｃまでガイドして、第三領域４６ｃ，４６ｃから前方に出射させる。以下、ロア導光部６０について詳細に説明する。
【００４５】
ロア導光部６０のうちミドル導光部４０よりも前の部位の上面６１及び下面６２が光源１０の光軸Ａｘに対して平行である。その上面６１はミドル導光部４０の出射面４６の下縁から前へ続く面である。ロア導光部６０の後面の左右方向中央部に入射面６３が形成されている。その入射面６３は、取込部３０の前面の下部（つまり、出射面３４のうち下の部位）に対向する。この入射面６３は、光源１０の光軸Ａｘに対して垂直であるとともに、取込部３０の出射面３４に対して平行である。取込部３０の出射面３４から前方に出射した平行ビームがロア導光部６０の入射面６３に入射して、ロア導光部６０に取り込まれる。
【００４６】
ロア導光部６０の前面の左右方向中央部に第七反射面６４，６４が形成されている。具体的には、ロア導光部６０の前面の左右方向中央部にノッチが形成され、そのノッチが上から見て三角形型に形成され、そのノッチの底を挟む反射面６４，６４がそのノッチの左右にそれぞれ形成されている。左の反射面６４が前左に傾斜し、左の反射面６４と第一基準面の成す角は例えば４５°である。右の反射面６４が前右に傾斜し、右の反射面６４と第一基準面の成す角は例えば４５°である。反射面６４，６４が光源１０の光軸Ａｘの左右両側にそれぞれ配置され、上から見て反射面６４，６４が９０°で交差し、反射面６４，６４の交線が光源１０の光軸Ａｘに対して垂直である。
【００４７】
反射面６４，６４は、入射面６３に対して４５°に傾斜した状態で入射面６３の前に配置されている。入射面６３によって取り込まれた平行ビームは反射面６４，６４によって左右に分割され、その平行ビームの一部が左の反射面６４によって左へ反射され、その平行ビームの他の一部が右の反射面６４によって右へ反射される。なお、ロア導光部６０の反射面６４の後側の部位が後方へ延出して、その延出した部位が取込部３０の前面の上下方向中央部に繋がって一体になることによって、ロア導光部６０の入射面６３と取込部３０の出射面３４の下部が消失してもよい。
【００４８】
ロア導光部６０の前面のうち左の反射面６４から左に離れた部位には、複数の第八反射面６５，…が形成され、右の反射面６４から右に離れた部位にも、複数の第八反射面６５，…が形成されている。左の反射面６５，…及び右の反射面６５，…は階段状に配列されている。つまり、左の反射面６５，…は、左右方向に間隔をおいて左右に配列されているとともに、左のものほど後ろにずれて配置されている。右の反射面６５，…は、左右方向に間隔をおいて左右に配列されているとともに、右のものほど後ろにずれて配置されている。
【００４９】
上から見て（図５参照）、左の反射面６５，…の配列はミドル導光部４０の左の反射面４５，…の配列よりも左に配置され、右の反射面６５，…の配列はミドル導光部４０の右の反射面４５，…の配列よりも右に配置されている。左の反射面６５，…は左の反射面６４の左方に配置され、右の反射面６５，…は右の反射面５４の右方に配置されている。左の反射面６５，…が前右に傾斜し、これら左の反射面６５，…と左の反射面６４が垂直である。右の反射面６５，…が前左に傾斜し、これら右の反射面６５，…と右の反射面６４が垂直である。左の反射面６４によって反射された平行ビームが左の反射面６５，…によって後方に反射され、その平行ビームの左右幅が広くなる。右の反射面６４によって反射された平行ビームが右の反射面６５，…によって後方に反射され、その平行ビームの左右幅が広くなる。
【００５０】
ロア導光部６０のうちミドル導光部４０よりも後ろの部位の下面には第九反射面６６，６６が形成され、その部位の上面には第十反射面６７，６７が形成されている。反射面６６，６６が下面６２の後縁から後ろ上りに傾斜し、反射面６７，６７が領域４６ｃ，４６ｃの上縁から反射面６６、６６の後縁まで後ろ下りに傾斜する。反射面６６，６６と第二基準面の成す角が例えば４５°であり、反射面６７，６７と第二基準面の成す角が例えば４５°である。左の反射面６６が左の反射面６５の配列の後方に配置され、左の反射面６７が左の反射面６６の上方に配置される。右の反射面６６が右の反射面６５の配列の後方に配置され、右の反射面６７が右の反射面６６の上方に配置される。左の反射面６５，…によって反射された平行ビームは左の反射面６７によって上方へ反射され、左の反射面６７によって反射された平行ビームは左の反射面６７によって前方へ反射される。右の反射面６５，…によって反射された平行ビームは右の反射面６７によって上方へ反射され、右の反射面６７によって反射された平行ビームは右の反射面６７によって前方へ反射される。
【００５１】
左の反射面６７の前には、ミドル導光部４０の左の出射面４６のうち第三領域４６ｃが配置され、右の反射面５７の前には、右の出射面４６のうち第三領域４６ｃが配置されている。従って、左の反射面６７によって反射された平行ビームは左の出射面４６の前方へ出射し、右の反射面６７によって反射された平行ビームが右の出射面４６の前方へ出射し、主に出射面４６，４６のうち第三領域４６ｃ，４６ｃが光って見える。
【００５２】
本実施形態によれば、次のような効果を奏する。
（１）  取込部３０の上下方向中央部の光、取込部３０の上部の光及び取込部３０の下部の光がそれぞれミドル導光部４０、アッパー導光部５０及びロア導光部６０によって第一領域４６ａ、第二領域４６ｂ及び第三領域４６ｃへ個別にガイドされるため、出射面４６の輝度ムラを抑えることができるとともに、その出射面４６の輝度分布の美観が向上する。
【００５３】
（２）  領域４６ａ，４６ｂ，４６ｃから出射する光は領域４６ａ，４６ｂ，４６ｃごとに異なる経路を経由したものであり、そのような領域４６ａ，４６ｂ，４６ｃが左右方向に並んでいるため、領域４６ａ，４６ｂ，４６ｃからなる出射面４６の左右幅を広げることができる。
【００５４】
（３）  取込部３０の上下方向中央部の光、取込部３０の上部の光及び取込部３０の下部の光がそれぞれミドル導光部４０、アッパー導光部５０及びロア導光部６０によって第一領域４６ａ、第二領域４６ｂ及び第三領域４６ｃへ個別にガイドされるため、出射面４６の上下長を取込部３０の上下長（直径）よりも短くして、出射面４６の左右幅を広げても、取込部３０によって取り込まれた光を有効利用することができる。
【符号の説明】
【００５５】
１  灯具
１０  光源
２０  光学素子
３０  取込部
４０  ミドル導光部
４４  第一反射面
４５  第二反射面
４６  出射面
４６ａ  第一領域
４６ｂ  第二領域
４６ｃ  第三領域
５０  アッパー導光部
５４  第三反射面
５５  第四反射面
５６  第五反射面
５７  第六反射面
６０  ロア導光部
６４  第七反射面
６５  第八反射面
６６  第九反射面
６７  第十反射面
【図１】
2016054080.tif 000003
【図２】
2016054080.tif 000004
【図３】
2016054080.tif 000005
【図４】
2016054080.tif 000006
【図５】
2016054080.tif 000007
【図６】
2016054080.tif 000008
【図７】
2016054080.tif 000009
【図８】
2016054080.tif 000010